(57)【要約】せん断安定性指数が０〜２０、ＡＳＴＭ  Ｄ５６２１で測定したせん断ロスが７％未満であり、同じ粘度グレードのナフテン油と同じか、それより良好なブルックフィールド粘度を有するパラフィン作動油が提供される。作動油には、動粘度（１００℃）２〜６ｃＳｔの第一のパラフィン油５〜９０重量％、動粘度（１００℃）３〜１４ｃＳｔの第二のパラフィン油５〜９０重量％およびポリメタクリレート粘度指数向上剤５〜１０重量％が含まれる。【特許請求の範囲】
【請求項１】
（ａ）粘度（１００℃）２〜６ｃＳｔの第一のパラフィン油５〜９０重量％（組成物基準）；
（ｂ）粘度（１００℃）３〜１５ｃＳｔの第二のパラフィン油５〜９０重量％（組成物基準）；および
（ｃ）せん断安定性指数０〜２０のポリメタクリレート粘度指数向上剤５〜１０重量％（組成物基準）
を含む作動油組成物であって、
ＡＳＴＭ  ５６２１で測定したせん断ロス（４０分後）が７％未満であり、
所定のいかなる粘度グレードについても、同じ粘度グレードのナフテン油含有作動組成物と、少なくとも実質的に同じか、それより良好なブルックフィールド粘度（０゜Ｆおよび−２０゜Ｆ）を有する
ことを特徴とする作動油組成物。
【請求項２】
下記の各粘度グレードについて、下記の特性を有することを特徴とする請求項１に記載の作動油組成物。
【表１】
2006521459.tif 000005
【請求項３】
前記粘度指数向上剤は、平均分子量１０，０００〜１，０００，０００を有することを特徴とする請求項１または２に記載の作動油組成物。
【請求項４】
少量の少なくとも一種の作動油添加剤を含むことを特徴とする請求項３に記載の作動油組成物。
【請求項５】
前記添加剤は、流動点降下剤、耐磨耗剤、腐食防止剤、酸化防止剤および消泡剤よりなる群から選択される少なくとも一種であることを特徴とする請求項４に記載の作動油組成物。
【請求項６】
（ａ）粘度２〜６ｃＳｔ（１００℃）および粘度指数８５〜９５の第一のパラフィン油５〜９０重量％；
（ｂ）粘度３〜１５ｃＳｔ（１００℃）および粘度指数９０〜９５の第二のパラフィン油５〜９０重量％；および
（ｃ）せん断安定性０〜２０のポリメタクリレート粘度指数向上剤５〜１０重量％
を含む（重量％は組成物の全重量を基準とする）作動油組成物であって、
ＡＳＴＭ  ５６２１で測定したせん断ロス（４０分後）が７％未満であり、
下記の各粘度グレードについて、下記の最大流動点およびブルックフィールド粘度（ＢＶ）を有する
【表２】
2006521459.tif 000006
ことを特徴とする作動油組成物。
【発明の詳細な説明】
【技術分野】
【０００１】
本発明は、作動油に関する。より詳しくは、本発明は、低温マルチグレード作動油に関する。
【背景技術】
【０００２】
作動油は広範囲の用途で用いられる。例えば、作動油は、車両トランスミッション、ディファレンシャルギヤ、ブレーキなどで、並びに非車両装置、および例えば射出成形および一般製造で用いられる機械装置で用いられる。
【０００３】
作動油は、装置の製造要件を満足するように異なる粘度グレードで、商業的に入手可能である。しかし、これらの標準的な作動油の多くは、現在開発され、利用に供される高度に設計された装置に必要とされる粘度特性を全て満足するには困難がある。例えば、低温マルチグレード作動油を処方するためには、ナフテン基油または過酷に水素化された基油を用いることが必要であった。これらの提案にはそれぞれ、欠点がある。
【０００４】
ナフテン基油を用いる際の一つの欠点は、コストである。ナフテン基油は、類似粘度のパラフィン基油より比較的高価である。他の欠点は、入手可能性である。ナフテン基油の製造業者は、パラフィン基油のそれより少ない。
【０００５】
ナフテン基油の場合と同様に、過酷に水素化された基油は、実質的に同じ理由で、類似粘度のパラフィン基油より高価である。基本的には、過酷に水素化された基油を製造する製油所は、パラフィン基油に比べ少ない。
【０００６】
従って、ナフテン基油、または過酷に水素化された基油を用いることを必要としない低温マルチグレード作動油を有することができることは望ましい。
【発明の開示】
【課題を解決するための手段】
【０００７】
広く云うと、本発明は、
（ａ）動粘度（１００℃）２〜６ｃＳｔの第一のパラフィン油５〜９０重量％；
（ｂ）動粘度（１００℃）３〜１４ｃＳｔの第二のパラフィン油５〜９０重量％；および
（ｃ）せん断安定性指数０〜２０のポリメタクリレート粘度指数向上剤５〜１０重量％
を含むマルチグレード作動油であって、
ＡＳＴＭ  ５６２１で測定したせん断ロス（４０分後）が７％未満であり、
所定のいかなる粘度グレードについても、同じ粘度グレードのナフテン油含有作動組成物と、少なくとも実質的に同じか、それより良好なブルックフィールド粘度（０゜Ｆおよび−２０゜Ｆ）を有する
ことを特徴とするマルチグレード作動油を含む。
【発明を実施するための最良の形態】
【０００８】
本発明の組成物には、二種のグループＩパラフィン油が含まれる。グループＩパラフィン油は、典型的には、粘度指数約８０〜１２０を有し、飽和分＜９０％および硫黄分＞０．０３％を含む。
【０００９】
本発明の第一のグループＩパラフィン油は、粘度２〜６ｃＳｔ（１００℃）および粘度指数（ＶＩ）８５〜９５を有するものである。また、第一のグループＩパラフィン油は、組成物の全重量を基準として５〜９０重量％を構成する。
【００１０】
第二のグループＩパラフィン油は、粘度３〜１５ｃＳｔ（１００℃）およびＶＩ  ９０〜９５を有するものである。第二のグループＩ油は、組成物中に、組成物の全重量を基準として５〜９０重量％の範囲の量で存在する。
【００１１】
前記作動油はまた、せん断安定性指数０〜２０、好ましくは１０〜２０のポリメタクリレート粘度指数向上剤（ＶＩＩ）を含む。典型的に適切なポリメタクリレートＶＩＩは、平均分子量約１０，０００〜１，０００，０００、より典型的には約２０，０００〜約５００，０００を有する。このＶＩＩ成分の量は、組成物の重量を基準として５〜１０重量％、好ましくは６〜７．５重量％である。
【００１２】
前記の成分は、注意深く選択され、その相対量は、いかなる所定の粘度グレードについても、せん断ロスが７重量％未満（４０分後）であり、また、同じ粘度グレードのナフテン油含有作動流体組成物と、少なくとも実質的に同じ低温特性を有する組成物が得られるように、考量しなければならない。粘度グレード１５〜１５０の作動油については、組成物は、好ましくは、表１に示される特性を有する。
【００１３】
【表１】
2006521459.tif 000002
【００１４】
前記の成分に加えて、作動油組成物は、典型的には、作動油に典型的に用いられる少量の従来の添加剤を含む。流動点降下剤、酸化防止剤、消泡剤などである。
【実施例】
【００１５】
本発明は、その好ましい実施形態が含まれる、次の実施例によって例証される。実施例においては、特定のＩＳＯ粘度グレードの作動流体を調製するのに次の成分を用いた。
（Ｉ）粘度約２．６ｃＳｔ（１００℃）、ＶＩ  ８５のグループＩパラフィン油。
（ＩＩ）粘度約４ｃＳｔ（１００℃）、ＶＩ  ９５のグループＩパラフィン油。
（ＩＩＩ）粘度約５．４ｃＳｔ（１００℃）、ＶＩ  ９５のグループＩパラフィン油。
（ＩＶ）粘度約７、ＶＩ  ９５のグループＩパラフィン油。
（Ｖ）粘度約１４ｃＳｔ（１００℃）、ＶＩ  ９０のグループＩパラフィン油。
（ＶＩ）せん断安定性指数約１４ｃＳｔの、ローマックス（ＲｏｈＭａｘ）社から商品名「ビスコプレックス（Ｖｉｓｃｏｐｌｅｘ）８−２１９」で販売されるポリメタクリレートＶＩＩ。
（ＶＩＩ）流動点降下剤と共に、耐磨耗剤、腐食防止剤、酸化防止剤、消泡剤などの成分を含む市販添加剤パッケージ。
これら種々の成分を、表２に示す量で用いた。それらの特性も示されている。
【００１６】
【表２】
2006521459.tif 000003
【００１７】
比較の目的で、ＩＳＯ３２マルチグレード作動油三種を調製し、その特性を決定した。組成および結果を表３に示す。これには、市販のナフテン含有作動油の特性も含まれる。分かるように、ブレンド物１は、せん断ロス７％未満を有したが、低温特性を有さなかった。ブレンド物２は、せん断ロスおよび流動点が不十分であり、ブレンド物３は、ブルックフィールド粘度（−２０゜Ｆ）および流動点が不十分であった。
【００１８】
【表３】
2006521459.tif 000004
【国際調査報告】
2006521459.tif 000007
2006521459.tif 000008
2006521459.tif 000009
2006521459.tif 000010
2006521459.tif 000011